(57)【要約】【課題】日射角度に関係なく、建物内に差し込む太陽光を効果的に遮蔽できる日除けスクリーンを提供する。【解決手段】窓を備えた壁面３を有する建築物において、窓の上方に配置されている構造物（窓庇）１に取り付けられる日除けスクリーンに、構造物１の下面に、壁面３と平行する方向に延設されたガイドレール５と、ガイドレール５に摺動自在に支持され、ガイドレール５に沿って、壁面３と平行方向（Ｘ方向）を移動可能なロールスクリーン１０とを設ける。ロールスクリーン１０は、シート状のスクリーン１２を保持し、スクリーン１２を上げ下げ自在に巻き取る巻取軸と、巻取軸の両端に着脱自在に取り付けられ、ガイドレール５に摺動自在に支持される一対の可動部材と、可動部材に取り付けられ、地面ＧＬに向けて垂下され、下端部を地面に固定できるようになされたチェーンロープ２５とを備えている。【選択図】図１
2010133086.tif 000002
【特許請求の範囲】
【請求項１】
窓を備えた壁面を有する建築物において、該窓の上方に配置されている構造物に取り付けられる日除けスクリーンであって、
前記構造物の下面に、前記壁面と平行する方向に延設されたガイドレールと、
前記ガイドレールに摺動自在に支持され、ガイドレールに沿って、前記壁面と平行方向を移動可能なロールスクリーンとを備え、
前記ロールスクリーンは、
シート状のスクリーンを保持し、該スクリーンを上げ下げ自在に巻き取る巻取軸と、
前記巻取軸の両端に着脱自在に取り付けられ、前記ガイドレールに摺動自在に支持される一対の可動部材と、
前記可動部材に取り付けられ、前記ロールスクリーンの上げ下げ操作が可能で、且つ地面側に向けて垂下され、下端部を地面に固定できるようになされたチェーンロープとを備え、
前記シート部材は、その先端部の左右両側にそれぞれ、前記チェーンロープに引っ掛ける形状に形成された略棒状の引出部が突出していることを特徴とする日除けスクリーン。
【請求項２】
前記構造物は、前記壁面に取り付けられた窓庇、前記窓の上方に配置されたバルコニー、および前記窓の上方に配置された下屋の軒先のうちのいずれかであることを特徴とする請求項１に記載の日除けスクリーン。
【請求項３】
前記チェーンロープは、予め地面に差し込まれたアンカ部材に、その先端を引っ掛けることにより、地面に固定されるようになされていることを特徴とする請求項１又は請求項２に記載の日除けスクリーン。
【発明の詳細な説明】
【技術分野】
【０００１】
本発明は、日除けスクリーンに関し、例えば、住宅等の建築物の窓に差し込む太陽光を遮る日除けスクリーンに関する。
【背景技術】
【０００２】
従来から、住宅等の建築物（建物）では、建物に差し込む太陽光や風等を遮るために種々の構成の装置が提案されている。
例えば、特許文献１には、建物の窓から室内に入る日差しを遮る日除けスクリーンを出し入れ自在に収納した庇の構造が開示されている。
【０００３】
具体的には、図８に示すように、特許文献１の庇１００は、建物の開口部（窓が設置されている）１０３の上部に取り付けられる庇本体１０１と、庇本体１０１の内部に引き出し自在に収納された可動体１０２とを備えている。また、可動体１０２の先端には、スクリーン（日除け部材）１０５が垂下自在に取り付けられている。
そして、庇本体１０１から可動体１０２を前方側に引き出し、可動体１０２を庇本体１０１から突出させることにより、庇張り出し量を大きくできるようになされている。
【０００４】
また、例えば、特許文献２には、建物のバルコニーの中に差し込む太陽光や風等を遮るために、バルコニーの庇の下部に設置されたバルコニー用のロールスクリーンの構成が開示されている。
【０００５】
具体的には、図９に示すように、特許文献２のバルコニー用のロールスクリーン２００は、バルコニーの庇３００の下に前後方向に平行に敷設された一対の走行レール２０３と、一対の走行レール２０３の間に架設されたロールスクリーン本体２０４と、ロールスクリーン本体２０４から引き出されるスクリーン２０４ｂの下部に設けられたフック２０４ｅとを備えている。
なお、ロールスクリーン本体２０４には、複数種類（日除けスクリーン、仕切り用スクリーン等）のスクリーン２０４ｂが収納されており、ユーザが用途に応じて任意のものを選べるようになされている。
また、バルコニーの床部３０２には、フック２０４ｅを掛けるための掛け金具３０４が設置されている。
【０００６】
上記のロールスクリーン２００を利用する場合、ユーザは、先ず、走行レール２０３に沿ってロールスクリーン本体２０４を移動させ、庇３００の前後方向の任意の位置に、ロールスクリーン２０４本体を配置させる。
次に、ユーザは、ロールスクリーン本体２０４からスクリーン２０４ｂ（例えば日除けスクリーン）を引き出し、バルコニー床部３０２の掛け金具３０４（又は、バルコニーの腰部３０６の手摺３０７）にフック２０４ｅを係止する。これにより、バルコニー２００の中に差し込む太陽光や雨等がスクリーン２０４ｂで遮られる。
【特許文献１】特開平１０−３１７６２４号公報
【特許文献２】特開２００４−３４６５１０号公報
【発明の開示】
【発明が解決しようとする課題】
【０００７】
しかしながら、上述した従来技術は、以下に示す技術的課題を有している。
具体的には、上述した特許文献１の庇の構造では、スクリーンを取り付けた可動体が庇の前後方向（窓と直交する方向）を移動できるようになされているが、庇の横方向（窓と平行する方向）に移動できるように構成されていない。
すなわち、スクリーンは、窓に対する横方向の位置（窓と相対向する配置）を変えることができないため、日射角度によっては、斜め横方向からの日差しを遮ることができないことがある。
また、特許文献１の庇の構造は、スクリーンを固定する手段を備えていないため、風等によるスクリーンの揺れ（暴れ）が生じることがあるという技術的課題を有している。
【０００８】
また、特許文献２のロールスクリーンは、スクリーンを固定する際、バルコニー床部の掛け金具（又は、バルコニーの腰部の手摺）に、スクリーンの下部に設けられたフックを掛止するようにしているため、スクリーンを途中まで引き出した位置で固定することができなかった。
すなわち、特許文献２のロールスクリーンでは、スクリーンの垂下量の調整ができないという技術的課題を有していた。
なお、特許文献２により、窓の斜め方向からの日差しを遮るためには、ロールスクリーン本体を窓寄りに配置させ、スクリーンを引き出す必要があるが、この場合、バルコニーが利用しにくくなってしまう。
【０００９】
本発明は、上記の技術的課題を解決するためになされたものであり、本発明の目的は、住宅等の建物の窓に差し込む太陽光を遮る日除けスクリーンにおいて、日射角度に関係なく、建物内に差し込む太陽光を遮蔽できると共に、スクリーンを所望の引き出し位置に固定できる日除けスクリーンを提供することを目的とする。
【課題を解決するための手段】
【００１０】
上記課題を解決するためになされた本発明は、窓を備えた壁面を有する建築物において、該窓の上方に配置されている構造物に取り付けられる日除けスクリーンに適用される。
そして、前記日除けスクリーンは、前記構造物の下面に、前記壁面と平行する方向に延設されたガイドレールと、前記ガイドレールに摺動自在に支持され、ガイドレールに沿って、前記壁面と平行方向を移動可能なロールスクリーンとを備え、前記ロールスクリーンは、シート状のスクリーンを保持し、該スクリーンを上げ下げ自在に巻き取る巻取軸と、前記巻取軸の両端に着脱自在に取り付けられ、前記ガイドレールに摺動自在に支持される一対の可動部材と、前記可動部材に取り付けられ、前記ロールスクリーンの上げ下げ操作が可能で、且つ地面側に向けて垂下され、下端部を地面に固定できるようになされたチェーンロープとを備え、前記シート部材は、その先端部の左右両側にそれぞれ、前記チェーンロープに引っ掛ける形状に形成された略棒状の引出部が突出していることを特徴としている。
【００１１】
このように本発明の日除けスクリーンは、窓の上方に配置されている構造物の下面に、壁面と平行する方向に延設されたガイドレールと、ガイドレールに摺動自在に支持され、ガイドレールに沿って、前記壁面と平行方向を移動可能なロールスクリーンとを備えている。
そのため、本発明によれば、ロールスクリーンは、ガイドレールに沿って、壁面と平行方向（すなわち、窓面と平行する方向）を往復移動できる。
したがって、本発明によれば、日射角度に応じて、窓面と平行する方向にロールスクリーンをスライドさせ、所望する位置にロールスクリーンを配置することにより、建築物（建物）の斜め横方向からの日差しを効果的に遮蔽することができる。
【００１２】
また、本発明によれば、地面に固定されたチェーンロープに、スクリーンの先端部の引出部を引っ掛けることにより、スクリーンを固定することができ、これにより、風等によるスクリーンの揺れ（暴れ）が防止される。
また、スクリーンの先端部の引出部は、チェーンロープのどの位置にも差し込むことができるため、スクリーンの垂下量に関係なく、スクリーンを固定することができる。
【００１３】
また、前記構造物は、前記壁面に取り付けられた窓庇、前記窓の上方に配置されたバルコニー、および前記窓の上方に配置された下屋の軒先のうちのいずれかであることが望ましい。
このように本発明によれば、窓庇、窓の上方に配置されたバルコニー、および前記窓の上方に配置された下屋の軒先のうちのいずれにも適用することができる汎用性の高い日除けスクリーンを提供することができる。
【００１４】
また、前記チェーンロープは、予め地面に差し込まれたアンカ部材に、その先端を引っ掛けることにより、地面に固定されるようになされていることが望ましい。
そして、本発明によれば、アンカ部材により地面の任意の位置に、スクリーンの先端部を固定するチェーンロープの下端部を固定できるため、固定位置を調節することで、スクリーンの角度（仰角）調整を行うことができる。
【発明の効果】
【００１５】
本発明によれば、住宅等の建物の窓に差し込む太陽光を遮る日除けスクリーンにおいて、日射角度に関係なく、建物内に差し込む太陽光を遮蔽できると共に、スクリーンを所望の引き出し位置に固定できる日除けスクリーンを提供することができる。
【発明を実施するための最良の形態】
【００１６】
以下、本発明の実施形態について、図面に基づいて説明する。
先ず、本発明の実施形態の日除けスクリーンの構成について図１〜図３に基づいて説明する。
【００１７】
図１は、本発明の実施形態の日除けスクリーンが取り付けられた建物の斜視図である。また、図２は、本発明の実施形態の日除けスクリーンの主要部品の展開図である。また、図３は、図１のＡ-Ａ断面を示した模式図である。
なお、本実施形態の日除けスクリーンは、窓を備えた壁面３を有する建築物（建物）において、その窓の上方に配置されている構造物に取り付けられて利用されるものであるが、以下では、説明の便宜上、構造物が窓庇である場合を例にする。
具体的には、日除けスクリーンが、２つの窓（第１窓２ａ（破線で示している）、第２窓２ｂ）が設けられた壁面３の窓庇１に取り付けられている場合を例にする。
また、図示する窓庇１は、第１窓２ａ、第２窓２ｂのそれぞれの上端部だけではなく、建物の壁面３を横断して形成されている。
【００１８】
具体的には、図１に示すように、日除けスクリーンは、建物の窓庇１の下面部の略先端に、庇横方向（窓庇１が設けられた建物の壁面３と平行方向（Ｘ方向））と平行に敷設されたガイドレール５と、ガイドレール５に摺動自在に支持されたロールスクリーン１０とを備えている。
また、ロールスクリーン１０は、窓庇１に敷設されたガイドレール５に沿って、庇横方向（Ｘ方向）を往復移動できるようになされており、庇横方向（Ｘ方向）において、ユーザの所望する位置に配置して固定できるように構成されている。
そのため、本実施形態の日除けスクリーンによれば、日射角度に応じて、庇横方向（Ｘ方向）にロールスクリーン１０を移動させ、所望する位置にロールスクリーン１０を配置することにより、建物の斜め横方向からの日差しを効果的に遮蔽することができる。
【００１９】
つぎに、ロールスクリーン１０の具体的な構成について説明する。
図２および図３に示すように、ロールスクリーン１０は、両端に開口１１ａが形成された円筒状の中空軸（巻取軸）１１と、中空軸１１に巻かれているシート状の日除け用のスクリーン１２と、中空軸１１の両端部にそれぞれ取り付けられた一対の可動部材２０とを備えている。
ここで、スクリーン１２は、中空軸１１に、その後端部が固着された状態で巻かれており、中空軸１１を回転させることにより、スクリーン１２を引き出したり、スクリーン１２を巻き戻したりできるようになされている。すなわち、スクリーン１２は、中空軸１１により保持されており、中空軸１１を回転させることにより、スクリーン１２の上げ下げができるようになされている。
【００２０】
また、スクリーン１２の先端部には、スクリーン１２の横方向（Ｘ方向）に延びる棒状の引出部１２ａが取り付けられている。この引出部１２ａの長さ寸法ｂは、スクリーンの横方向の長さ寸法ａよりも長くなされている（ｂ＞ａ）。すなわち、スクリーン１２の先端部は、左右両側において、引出部１２ａが突出している。
【００２１】
また、可動部材２０は、両端で車輪２１を支持する車軸部材２２（一対の車輪２１を支持する車軸部材２２）と、車軸部材２２の略中央部を挿通している棒状の回転軸２３とを備えている。
具体的には、車輪支持部材２１は、略中央部に貫通孔２２ａが形成され、その貫通孔２２ａに棒状の回転軸２３が回転可能に挿通されている。
また、可動部材２０は、中空軸１１の端部の開口１１ａに、回転軸２３の一端部２３ａが挿入して嵌合されることにより、中空軸１１に固定される（取り付けられる）。これにより、回転軸２３を回転させると、それに伴い中空軸１１が回転するようになされる。
【００２２】
また、回転軸２３の他端部２３ｂには、回転軸２３ｂを回転させる環状のチェーンロープ（リンクチェーン）２５が取り付けられている。なお、チェーンロープ２５は、地面ＧＬ側に向けて垂下されており、後述するように、下端部を地面ＧＬに固定できるようになされている。
そして、ユーザは、上下方向（図３に示すＹ方向）にチェーンロープ２５を引っ張ることにより、可動部材２０の回転軸２３を介して、中空軸１１を回転させることができ、これにより、中空軸１１からスクリーン１２を引き出したり、中空軸１１にスクリーン１２が巻き戻したりすることができる（スクリーン１２を上げ下げすることができる）。
なお、チェーンロープ２５の具体的な形状について特に限定されるものではない。チェーンロープ２５は、スクリーン１２の先端部に形成された引出部１２ａの両端を挿入できるものであれば、どのような形状でもかまわない。
【００２３】
そして、上記のように構成されたロールスクリーン１０は、可動部材２０の車輪２１が、それぞれ、ガイドレール５のレール部５ａに載置されることにより、ガイドレール５に支持される（図３参照）。これにより、ロールスクリーン１０は、ガイドレール５に沿って、庇横方向（図１に示すＸ方向）を往復移動することができる。
【００２４】
また、図１に示すように、ロールスクリーン１０のチェーンロープ２５は、ロールスクリーン１０がガイドレール５に取り付けられた状態において、その下端部が、地面ＧＬの近傍に配置できる長さになされている。
また、ロールスクリーン２５の両端に取り付けられた、チェーンロープ２５の下端部にアンカ部材４０が取り付けられるようになされている。
【００２５】
そして、ユーザが地面ＧＬの所望の位置にアンカ部材４０を差し込み、その後、地面ＧＬに差し込んだアンカ部材４０に、チェーンロープ２５の先端を引っ掛けることにより、チェーンロープ２５は地面ＧＬに固定される。これにより、ロールスクリーン１０は、庇横方向（図１に示すＸ方向）の移動が制限される（Ｘ１方向において固定される）。
なお、アンカ部材４０は、一端部をチェーンロープ２５に固定することができ、他端を地面ＧＬに差し込むことにより、チェーンロープ２５を地面ＧＬに固定できるものであればどのようなものでもかまなわない。
【００２６】
また、地面ＧＬに固定されたチェーンロープ２５に、スクリーン１２の先端部の引出部１２ａの両端を引っ掛けることにより（すなわち、チェーンロープ２５を構成するリング状の孔に引出部１２ａを差し込むことにより）、スクリーン１２を固定することができる。
これにより、風等によるスクリーン１２の揺れ（暴れ）が防止される。
なお、スクリーン１２の先端部の引出部１２ａは、地面ＧＬに固定されたチェーンロープ２５のどの位置にも差し込むことができるため、スクリーン１２の垂下量に関係なく、スクリーン１２を固定することができる。
【００２７】
つぎに、本実施形態の日除けスクリーン１０の動作について、図４を用いて説明する。
図４は、本実施形態の日除けスクリーンの動作を説明するための模式図であり、図４（ａ）は、ロールスクリーン１０を建物の右側（建物に向かって右側）に配置した状態を示し、図４（ｂ）は、ロールスクリーン１０を建物の左側（建物に向かって左側）に配置した状態を示している。
【００２８】
先ず、本実施形態の日除けスクリーンにより、建物の第１窓２ａに差し込む太陽光を遮蔽する場合について説明する。
この場合、ユーザは、ロールスクリーン１０を建物の右側（建物に向かって右側）方向（Ｘ１方向）に押して、図４（ａ）に示す位置まで移動させる（ロールスクリーン１０がガイドレール５に沿ってＸ１方向に移動する）。
そして、ユーザは、チェーンロープ２５の下端を固定する地面の位置を決めて、その位置（すなわち、所望する地面ＧＬの位置）にアンカ部材４０を差し込む。
つぎに、ユーザは、チェーンロープ２５を引っ張り、中空軸１１（図３参照）に巻かれているスクリーン１２を所望の長さまで引き出す。
そして、ユーザは、上記の地面に差し込まれたアンカ部材４０に、チェーンロープ２５の先端を引っ掛けることにより、チェーンロープ２５を地面ＧＬに固定する。最後に、地面ＧＬに固定されたチェーンロープ２５に、スクリーン１２の先端部の引出部１２ａの両端を引っ掛けて、スクリーン１２を固定する。
これにより、図４（ａ）に示すように、建物の第１窓２ａの前方が、スクリーン１２により覆われ、第１窓２ａに差し込む太陽光が遮られる。
【００２９】
つぎに、第１窓２ａの前に配置された日除けスクリーンを第２窓２ｂまで、移動させて、第２窓２ｂに入る太陽光を遮蔽する場合について説明する。
この場合、ユーザは、チェーンロープ２５を地面ＧＬに差し込まれたアンカ部材４０から外し、ロールスクリーン１０を建物の左側（建物に向かって左側）方向（Ｘ２方向）に押し、図４（ａ）から図４（ｂ）に示す位置までロールスクリーン１０を移動させる（ロールスクリーン１０がガイドレール５に沿ってＸ２方向に移動する）。
そして、ユーザは、上記同様、チェーンロープ２５の下端を固定する地面の位置を決めて、その位置（すなわち、所望する地面ＧＬの位置）にアンカ部材４０を差し込む。
つぎに、ユーザは、上記同様、チェーンロープ２５を引っ張り、スクリーン１２を所望の長さまで引き出す。そして、ユーザは、上記同様、地面に差し込まれたアンカ部材４０に、チェーンロープ２５の先端を引っ掛けることにより、チェーンロープ２５を地面ＧＬに固定する。
また、ユーザは、上記同様、地面ＧＬに固定されたチェーンロープ２５に、スクリーン１２の先端部の引出部１２ａの両端を引っ掛ける。
これにより、図４（ｂ）に示すように、建物の第１窓２ｂの前方が、スクリーン１２により覆われて、第１窓２ｂに差し込む太陽光が遮られる。
【００３０】
このように、本実施形態の日除けスクリーンを、複数の窓の上を跨って設置された窓庇１に取り付けることにより、ロールスクリーン１０をスライドさせ、利用したい窓の前方にロールスクリーン１０を配置させることができる。
また、日射角度に応じて、庇横方向（Ｘ方向）にロールスクリーン１０を移動（スライド）させることができるため、建物の斜め横方向からの日差しを効果的に遮蔽することができる。
【００３１】
また、本実施形態の日除けスクリーンは、スクリーン１２の先端の引出部１２ａを固定するチェーンロープ２５の下端部を地面ＧＬに固定するようになされている。
そのため、図５に示すように、チェーンロープ２５の地面ＧＬへの固定位置を動かすようにすることで、スクリーン１２の角度（仰角）調整を行うことができる。
【００３２】
以上説明したように、本実施形態によれば、住宅等の建物の窓に差し込む太陽光を遮る日除けスクリーンにおいて、日射角度に関係なく、建物内に差し込む太陽光を遮蔽できると共に、スクリーンを所望の引き出し位置に固定できる日除けスクリーンを提供することができる。
【００３３】
また、本実施形態では、スクリーン１２が巻かれている中空軸１１から可動部材２０を引き抜くことにより、ガイドレール５からロールスクリーン１０を取り外すことができる。一方、ガイドレール５にロールスクリーン１０を取り付ける場合には、ガイドレール５に可動部材２０を取り付けて、スクリーン１２が巻かれている中空軸１１の開口１１ａに、可動部材２０を構成する回転軸２２を挿入して嵌合させればよい。
すなわち、本実施形態によれば、簡単な作業により、ロールスクリーン１０の取り付けや取り外しを行うことができるため、洗浄や交換が簡単に行えるようになる。
【００３４】
また、本実施形態では、スクリーン１２（および中空軸１１）と、可動部材２０とを別体で構成しているため、スクリーン１２（および中空軸１１）の交換により、スクリーン幅（Ｘ方向の長さ寸法）を変更することができる。
なお、本発明は、上述した実施形態の限定されるものではなくその要旨の範囲において種々の変更が可能である。
【００３５】
例えば、ロールスクリーン１０をガイドレール５の任意の位置で固定することができるロック機構を設けて、そのロック機構により、ロールスクリーン１０をガイドレール５に固定するようにしてもよい。
【００３６】
また、上記実施形態では、日除けスクリーンが、建物の壁面３の窓庇１に取り付けられている場合を例にしているが、あくまでもこれは例示に過ぎない。
例えば、本実施形態の日除けスクリーンをバルコニー８の下に取り付けて利用することもできる。
具体的には、図６に示すように、建物のバルコニー８の下面にガイドレール５を取り付け、そのガイドレール５にロールスクリーン１０を支持させることにより、本実施形態の日除けスクリーンをバルコニーの下面に取り付けることができる。
また、例えば、本実施形態の日除けスクリーンを建物の下屋の軒先にも取り付けて利用することができる。
具体的には、図７に示すように、建物の下屋の軒先９にガイドレール５を取付け、そのガイドレール５にロールスクリーン１０を支持させることにより、本実施形態の日除けスクリーンを下屋の軒先９に取り付けて利用することができる。
【図面の簡単な説明】
【００３７】
【図１】本発明の実施形態の日除けスクリーンが取り付けられた建物の斜視図である。
【図２】本発明の実施形態の日除けスクリーンの主要部品の展開図である。
【図３】図１のＡ-Ａ断面を示した模式図である。
【図４】本発明の実施形態の日除けスクリーンの動作を説明するための模式図である。
【図５】本発明の実施形態の日除けスクリーンの地面への固定位置を説明するための模式図である。
【図６】本発明の実施形態の日除けスクリーンをバルコニーの下面に取り付けた例を示した模式図である。
【図７】本発明の実施形態の日除けスクリーンを下屋の軒先に取り付けた例を示した模式図である。
【図８】従来技術による日除けスクリーンを出し入れ自在に収納した庇の構造を示した模式図である。
【図９】従来技術によるバルコニーの庇の下部に設置されたバルコニー用のロールスクリーンの構成を示した模式図である。
【符号の説明】
【００３８】
２ａ    第１窓
２ｂ    第２窓
３      壁面
５      ガイドレール
５ａ    レール部（ガイドレール）
８      バルコニー
９      軒下
１０    ロールスクリーン
１１    中空軸（巻取軸）
１１ａ  開口１１ａ（中空軸）
１２    スクリーン
１２ａ  引出部（スクリーン）
２０    可動部材
２１    車輪
２２    車軸部材
２３    回転軸
２５    チェーンロープ
４０    アンカ部材
【図１】
2010133086.tif 000003
【図２】
2010133086.tif 000004
【図３】
2010133086.tif 000005
【図４】
2010133086.tif 000006
【図５】
2010133086.tif 000007
【図６】
2010133086.tif 000008
【図７】
2010133086.tif 000009
【図８】
2010133086.tif 000010
【図９】
2010133086.tif 000011